(57)【要約】【課題】１回路搭載式のブレーカユニットと同一幅の取付レールに取り付け可能な、２回路搭載式のブレーカユニットを提供すること。【解決手段】背面に母線バー２と接続するプラグイン端子６を有し、前面にブレーカ搭載部７を有するアダプタ４と、その前面に搭載された２台のブレーカ５と、該プラグイン端子６から立ち上がり該２台のブレーカ５の電源端子へと分岐して接続する３本の分岐バー８からなる２回路搭載式のブレーカユニット１であって、該アダプタ４は、略長方形状を有し、その一対の対角位置の各々には、ブレーカ搭載部７を備え、もう一対の対角位置の各々には、フリースペース部９を備え、該フリースペース部９に、アダプタ４を母線バー２の両側に設置したブレーカユニット取付レール１１に固定するアダプタ固定１０部を設けた。【選択図】図３
2011029083.tif 000002
【特許請求の範囲】
【請求項１】
背面に母線バーとの接続部を有し、前面にブレーカ搭載部を有するアダプタと、該アダプタの前面に搭載された２台のブレーカと、該接続部から立ち上がり該２台のブレーカの電源端子へと分岐して接続する３本の分岐バーからなる２回路搭載式のブレーカユニットであって、
該アダプタは、略長方形状を有し、その一対の対角位置の各々には、ブレーカ搭載部を備え、もう一対の対角位置の各々には、フリースペース部を備え、
該フリースペース部に、アダプタを母線バーの両側に設置したブレーカユニット取付レールに固定するアダプタ固定部を設けたことを特徴とする２回路搭載式のブレーカユニット。
【請求項２】
該フリースペース部に、端子台を配置したことを特徴とする請求項1記載のブレーカユニット。
【請求項３】
該フリースペース部に、ブレーカの付属装置を配置したことを特徴とする請求項1記載のブレーカユニット。
【請求項４】
３極の母線バーに接続される３本の分岐バーは、母線バーとの接続部を構成する端子プラグと、該端子プラグに下端部を接続して立ち上がる接続導体と、該接続導体の上端部に接続してブレーカの電源端子との接続部を構成する接続バーとからなり、
両側極の分岐バーでは、該接続導体上端部の位置が、ブレーカの電源端子と略同一高さにあり、該位置で接続導体上端部と接続する接続バーを水平方向にクランクさせ、
中央極の分岐バーでは、該接続導体上端部の位置が、ブレーカの電源端子より低位置にあり、該位置で接続導体上端部と接続する接続バーを高さ方向および水平方向にクランクさせたことを特徴とする請求項1記載のブレーカユニット。
【請求項５】
該両側極の分岐バーを構成する該接続導体を略クランク状若しくは略コ字状の何れかに統一して形成し、
該中央極の分岐バーを構成する該接続導体を略コ字状に形成し、
中央極を構成するプラグ端子の略垂直上部に中央極の接続導体の上端部を位置させたことを特徴とする請求項1記載のブレーカユニット。
【発明の詳細な説明】
【技術分野】
【０００１】
本発明は、一台のアダプタに二台のブレーカを搭載した２回路搭載式のブレーカユニットに関するものである。
【背景技術】
【０００２】
ブレーカと母線バーとの電気的な接続を差込方式により行うようにしたプラグイン式分電盤には、母線バーを上下３段に配置してその側方からブレーカをプラグインする方式や、母線バーを横方向に３列に配置し、母線バーの上方からブレーカをプラグインする方式のものなど、多くの種類がある。このような構造のプラグイン式分電盤は、ブレーカの増設や取り外しが容易であるという利点がある。
【０００３】
該プラグイン式分電盤にプラグインされるブレーカは、ブレーカユニットと呼ばれるユニット単位で該プラグイン式分電盤に脱着される。
【０００４】
ブレーカユニットの構成は、一台のアダプタに一台のブレーカを搭載したものが一般的であるが（例えば、特許文献１）、その他に、一台のアダプタに二台のブレーカを搭載したブレーカユニットも知られている（例えば、特許文献２）。
【０００５】
従来、いずれのタイプのブレーカユニットも、図１２に示すように、プラグ端子を介して母線バーにプラグインした後、母線バーの両側に設置したブレーカユニット取付レール１１に、ブレーカユニットの両側に張設した取付片部１７を支持させ、取付片部に設けた取付孔１８にねじを挿通して、取付レール１１に固定されていた。しかし、一台のアダプタに二台のブレーカを搭載したタイプのブレーカユニット１６は、一台のアダプタに一台のブレーカを搭載したタイプのブレーカユニット１５に比べて、ブレーカユニットの両側に張設した取付片部１７間の距離が長くなり、当該取付片部間の距離方向に大型化するため、当該ブレーカユニットを取り付ける分電盤自体も大型化する問題があった。
【０００６】
また、一台のアダプタに二台のブレーカを搭載したタイプのブレーカユニット１６及び、一台のアダプタに一台のブレーカを搭載したタイプのブレーカユニット１５のそれぞれのタイプに合わせた取付レール１１を各々別個に設けなければならず、不便であるという問題があった。
【先行技術文献】
【特許文献】
【０００７】
【特許文献１】特開２００８−７９３９４号公報
【特許文献２】特開２００８−２７１７１０号公報
【発明の概要】
【発明が解決しようとする課題】
【０００８】
本発明の目的は前記問題を解決し、一台のアダプタに二台のブレーカを搭載しつつ、ブレーカユニットがブレーカユニット取付レール方向に大型化せず、一台のアダプタに一台のブレーカを搭載したタイプのブレーカユニットと同一幅の取付レールに取り付け可能なブレーカユニットを提供することである。
【課題を解決するための手段】
【０００９】
上記課題を解決するためになされた本発明のブレーカユニットは、背面に母線バーとの接続部を有し、前面にブレーカ搭載部を有するアダプタと、該アダプタの前面に搭載された２台のブレーカと、該接続部から立ち上がり該２台のブレーカの電源端子へと分岐して接続する３本の分岐バーからなる２回路搭載式のブレーカユニットであって、
該アダプタは、略長方形状を有し、その一対の対角位置の各々には、ブレーカ搭載部を備え、もう一対の対角位置の各々には、フリースペース部を備え、該フリースペース部に、アダプタを母線バーの両側に設置したブレーカユニット取付レールに固定するアダプタ固定部を設けたことを特徴とするものである。
【００１０】
請求項２記載の発明は、請求項1記載のブレーカユニットにおいて、該フリースペース部に、端子台を配置したことを特徴とするものである。
【００１１】
請求項３記載の発明は、請求項1記載のブレーカユニットにおいて、該フリースペース部に、ブレーカの付属装置を配置したことを特徴とするものである。
【００１２】
請求項４記載の発明は、請求項1記載のブレーカユニットにおいて、３極の母線バーに接続される３本の分岐バーは、母線バーとの接続部を構成する端子プラグと、該端子プラグに下端部を接続して立ち上がる接続導体と、該接続導体の上端部に接続してブレーカの電源端子との接続部を構成する接続バーとからなり、両側極の分岐バーでは、該接続導体上端部の位置が、ブレーカの電源端子と略同一高さにあり、該位置で接続導体上端部と接続する接続バーを水平方向にクランクさせ、中央極の分岐バーでは、該接続導体上端部の位置が、ブレーカの電源端子より低位置にあり、該位置で接続導体上端部と接続する接続バーを高さ方向および水平方向にクランクさせたことを特徴とするものである。
【００１３】
請求項５記載の発明は、請求項1記載のブレーカユニットにおいて、該両側極の分岐バーを構成する該接続導体を略クランク状若しくは略コ字状の何れかに統一して形成し、
該中央極の分岐バーを構成する該接続導体を略コ字状に形成し、中央極を構成するプラグ端子の略垂直上部に中央極の接続導体の上端部を位置させたことを特徴とするものである。
【発明の効果】
【００１４】
本発明に係るブレーカユニットは、前面にブレーカ搭載部を有するアダプタと、該アダプタの前面に搭載された２台のブレーカと、該接続部から立ち上がり該２台のブレーカの電源端子へ分岐して接続する３本の分岐バーからなる２回路搭載式のブレーカユニットにおいて、該アダプタを、略長方形状とし、その一対の対角位置の各々には、ブレーカ搭載部を備え、もう一対の対角位置の各々には、フリースペース部を備え、該フリースペース部に、アダプタを母線バーの両側に設置したブレーカユニット取付レールに固定するアダプタ固定部を設ける構成を有するため、ブレーカユニットの両側に取付片部を張設する必要がなく、これにより一台のアダプタに二台のブレーカを搭載しつつ、ブレーカユニットがブレーカユニット取付レール方向に大型化することなく、一台のアダプタに一台のブレーカを搭載したタイプのブレーカユニットと同一幅の取付レールに取り付けることを可能としている。
【００１５】
請求項２または３記載の発明によれば、該フリースペース部に、端子台またはブレーカの付属装置を配置する構成により、ブレーカユニットのスペースを無駄なく活用し、ブレーカユニット自体のコンパクト化を図ることができる。
【００１６】
請求項４記載の発明によれば、３極の母線バーに接続される３本の分岐バーを、母線バーとの接続部を構成する端子プラグと、該端子プラグに下端部を接続して立ち上がる接続導体と、該接続導体の上端部に接続してブレーカの電源端子との接続部を構成する接続バーから構成し、両側極の分岐バーでは、該接続導体上端部の位置が、ブレーカの電源端子と略同一高さにあり、該位置で接続導体上端部と接続する接続バーを水平方向にクランクさせ、中央極の分岐バーでは、該接続導体上端部の位置が、ブレーカの電源端子より低位置にあり、該位置で接続導体上端部と接続する接続バーを高さ方向および水平方向にクランクさせる構成により、接続バーの絶縁距離を的確にとることができる。
【００１７】
請求項５記載の発明によれば、該両側極の分岐バーを構成する該接続導体を略クランク状若しくは略コ字状の何れかに統一して形成し、該中央極の分岐バーを構成する該接続導体を略コ字状に形成し、中央極を構成するプラグ端子の略垂直上部に中央極の接続導体の上端部を位置させる構成により、ブレーカユニットを小型化することができる。
【図面の簡単な説明】
【００１８】
【図１】本発明のブレーカユニットを母線バーにプラグインした状態図である。
【図２】図１のブレーカユニットの全体図である。
【図３】図１のブレーカユニットの正面図である。
【図４】図１のブレーカユニットの側面図である。
【図５】分岐バーを覆う端子カバーを取り外した状態の正面図である。
【図６】アダプタの正面図である。
【図７】アダプタの背面図である。
【図８】分岐バーの正面図である。
【図９】分岐バーの背面図である。
【図１０】ブレーカユニットを連続取付するのに用いるアダプタの連続配置図である。
【図１１】２回路搭載式のブレーカユニットと、１回路搭載式のブレーカユニットとを、同一幅の取付レールに取り付けた状態図である。
【図１２】２回路搭載式のブレーカユニットと、１回路搭載式のブレーカユニットとを、各々異なる取付レールに取り付けた状態図である。
【発明を実施するための形態】
【００１９】
以下に本発明の好ましい実施形態を示す。
図１には、本発明のブレーカユニット１を母線バー２にプラグインした状態図を示し、図２には、図１のブレーカユニット１の全体図を示し、図３には、図１のブレーカユニット１の正面図を示し、図４には、図１のブレーカユニット１の側面図を示し、図５には、分岐バーを覆う端子カバー３を取り外した状態の正面図を示している。なお、該端子カバー３は、端子や接続導体の上部などに作業者の手が触れるのを防止すると同時に、カバー内に垂下する壁によって遮断器側面から遮断時に出るアークガスが他極に向かうのを防止するためのものである。
【００２０】
図１〜５に示すように、本発明のブレーカユニット１は、ブレーカ搭載部を有するアダプタ４の上に２台のブレーカ５を搭載して構成されている。
【００２１】
図６にはアダプタの４正面図を示し、図７にはアダプタ４の背面図を示している。図６および図７に示すように、該アダプタ４は、背面に母線バー２との接続部としてのプラグイン端子６ａ、６ｂ、６ｃを有し、前面にブレーカ搭載部７を有するものである。また、該プラグイン端子６ａ、６ｂ、６ｃと該ブレーカ搭載部７に搭載される２台のブレーカ５の電源端子を電気的に接続する３本の分岐バー８を備えている。
【００２２】
該アダプタ４は、略長方形状を有し、その一対の対角位置の各々には、ブレーカ搭載部７を備え、もう一対の対角位置の各々には、フリースペース部９を備え、該フリースペース部９に、アダプタ４を母線バー２の両側に設置したブレーカユニット取付レール１１に固定するアダプタ固定部１０を設けている。このため、ブレーカユニットの両側に別途、取付片部１７を張設する必要はく、当該構成により、本発明に係るブレーカユニット１は、一台のアダプタ４に二台のブレーカ５を搭載しつつ、ブレーカユニット１がブレーカユニット取付レール１１方向に大型化することなく、一台のアダプタ４に一台のブレーカ５を搭載したタイプのブレーカユニットと同一幅の取付レール１１に取り付けることを可能としている。また、アダプタ固定部１０を、ブレーカユニット１の中心から点対称の位置に設けることにより、バランスよくブレーカユニット１を固定することができる。
【００２３】
フリースペース部９には、端子台またはブレーカの付属装置を配置する構成により、ブレーカユニットのスペースを無駄なく活用し、ブレーカユニット自体のコンパクト化を図ることができる。例えば、該端子台には、ブレーカがトリップしたときに警報信号が出力される端子を設けることができる。
【００２４】
図８には、分岐バー８の正面図を示し、図９には、分岐バー８の背面図を示している。本発明の分岐バーは、３極の母線バー２に接続される３本の分岐バー８から構成され、図７および図８に示すように、該分岐バー８は、母線バーとの接続部を構成する端子プラグ６ａ、６ｂ、６ｃと、該端子プラグ６ａ、６ｂ、６ｃに下端部を接続して立ち上がる接続導体１２ａ、１２ｂ、１２ｃと、該接続導体１２ａ、１２ｂ、１２ｃの上端部に接続してブレーカの電源端子との接続部を構成する接続バー１３ａ、１３ｂ、１３ｃとからなる。
【００２５】
本発明のブレーカユニットでは、図５に示すように、２台のブレーカ５を対面位置から上下にずらして搭載しているため、該２台のブレーカ５の電源端子との接続部を構成する接続バーは、水平方向にクランク状に形成する必要がある。接続バーをクランク状に形成すると、各極の接続バーのクランクの角部同士が近接することとなる。従って、例えば、Ｒ極・Ｓ極・Ｔ極の３極の接続バー１３ａ、１３ｂ、１３ｃを、クランク状に形成しつつ、各極の接続バー間で適切な絶縁距離を確保するためには、ブレーカユニットを大型化せざるを得ない問題がある。当該問題に対し、本実施形態では、図８および図９に示すように、両側極（Ｒ極・Ｔ極）の分岐バー８では、接続導体１２ａ、１２ｃの上端位置を、ブレーカ５の電源端子と略同一高さとし、該位置で接続バー１３ａ、１３ｃを接続導体１２の上端部と接続し、該接続バー１３ａ、１３ｃを水平方向にクランクさせるとともに、中央極（Ｓ極）の分岐バー８では、接続導体１２ｂの上端位置を、ブレーカ５の電源端子より低位置とし、該位置で接続バー１３ｂを接続導体１２の上端部と接続し、該接続バー１３ｂを高さ方向および水平方向にクランクさせる構成により、ブレーカユニットを大型化することなく、各極の接続バーの絶縁距離を的確に確保することを可能としている。
【００２６】
更に、本実施形態では、図８および図９に示すように、該両側極の分岐バー８を構成する接続導体１２ａ、１２ｃを略クランク状若しくは略コ字状の何れかに統一して形成し、該中央極の分岐バー８を構成する該接続導１２ｂを略コ字状に形成し、中央極を構成するプラグ端子６ｂの略垂直上部に中央極の接続バー１３ｂを位置させる構成により、絶縁距離を効率的に確保し、ブレーカユニットを小型化している。
【００２７】
図８および図９に示すように、両側極の分岐バー（３相の場合はＲ極とＴ極、単相の場合はＬ１極とＬ２極）を構成する接続導体１２ａ、１２ｃを略クランク状若しくは略コ字状の何れかに統一して形成することにより、図１０に示すように、該ブレーカユニット１を連続取付した場合でも接続導体の垂直部の絶縁距離を的確にとることができる。なお、接続導体の他端部や接続バーの絶縁距離確保に関しては、垂直隔壁を備える絶縁カバーにより的確な絶縁距離を確保している。
【００２８】
また、両側極の分岐バーを構成する接続導体１２ａ、１２ｃを同一形状とすることにより、部品管理上の利点や、相の切替にも柔軟に対応できるという利点が得られる。ここで、相の切替とは、母線ユニットの水平、垂直配置や入線状況によって、例えば、母線ユニットを垂直取付したり、水平取付したりすることをいう。具体的には、母線ユニットを垂直取付する場合左からＲ極、Ｓ極、Ｔ極となるが、水平取付にすると上からＲ極、Ｓ極、Ｔ極となる。
【００２９】
更に、図８および図９に示すように、中央極の分岐バーを構成する接続導体１２ｂを略コ字状に形成し、中央極を構成するプラグ端子６ｂの略垂直上部に中央極の接続導体の上端部１３ｂを位置させることにより、アダプタユニットを小型化している。
【００３０】
本実施形態では、３本の母線バーは、Ｓ極バーを中心として両側に対称であり、Ｓ極バーの上方位置に、各接続導体１２ａ、１２ｂ、１２ｃと、接続バーと１３ａ、１３ｂ、１３ｃとを接続するねじ部１４が略一直線上に並ぶように構成している。そして、この各ねじ部１４の略一直線の一方側に、両側極のうち一方の接続導体である1本の立ち上げ片を位置させ、各ねじ孔の略一直線の他方側に、両側極のうち他方の接続導体と中央極の接続導体である2本の立ち上げ片を位置させている。詳細には、中央極の接続導体の立ち上げ片は、アダプタユニットの幅方向における立ち上げ片の位置においてＲ極若しくはＴ極のどちらか一方と略同一としてある。このようなものでは、さらに寸法が小さくてすみ、見栄えもよい。
【００３１】
本発明によれば、図１１に示すように、２回路搭載式のブレーカユニット１と、１回路搭載式のブレーカユニット１５とを、同一幅の取付レール１１に取り付けることができる。なお、２回路搭載式のブレーカユニット１に用いるブレーカ５は小型であるので、アダプタ４上に搭載されるブレーカ５に対応した取付台を取付けてブレーカ４の上面のパネルカット面を、１回路搭載式のブレーカユニット１４のブレーカのパネルカット面に合わせるようにしている。
【符号の説明】
【００３２】
１  ブレーカユニット
２  母線バー
３  端子カバー
４  アダプタ
５  ブレーカ
６ａ、６ｂ、６ｃ  プラグイン端子
７  ブレーカ搭載部
８  分岐バー
９  フリースペース部
１０  アダプタ固定部
１１  ブレーカユニット取り付けレール
１２ａ、１２ｂ、１２ｃ  接続導体
１３ａ、１３ｂ、１３ｃ  接続バー
１４  ねじ部
１５  １回路搭載式のブレーカユニット
１６  従来の２回路搭載式のブレーカユニット
１７  取付片部
１８  取付孔
【図１】
2011029083.tif 000003
【図２】
2011029083.tif 000004
【図３】
2011029083.tif 000005
【図４】
2011029083.tif 000006
【図５】
2011029083.tif 000007
【図６】
2011029083.tif 000008
【図７】
2011029083.tif 000009
【図８】
2011029083.tif 000010
【図９】
2011029083.tif 000011
【図１０】
2011029083.tif 000012
【図１１】
2011029083.tif 000013
【図１２】
2011029083.tif 000014